(57)【要約】      （修正有）【課題】各アンテナの受信レベルに基づいて、その送信出力を、出力の総和が一定となる範囲内で増減し、アンテナの出力を大きくすることなく通信範囲を広げ、読取不良の発生を未然に防止する媒体処理装置及びそれを用いた処理機を提供する。【解決手段】演算処理部４０では、各受信信号レベル測定回路４２ａ，４２ｂから得られたデータに基づいて各出力調整回路４１ａ，４１ｂの出力を調整することが可能となる。この出力調整は、両アンテナＡ１，Ａ２の合計出力が隣接する改札機本体と混信を起こすことがなく、かつ利用者の所持する電子機器に影響を与えない範囲の一定の値で、この値の範囲内で各アンテナＡ１，Ａ２の出力を決めるように行なわれる。具体的には、各出力調整回路４１ａ，４１ｂの出力の割合は、各信号レベル測定回路４２ａ，４２ｂの受信信号レベルに比例した形で調整が行われる。【選択図】図４
2007249608.tif 000002
【特許請求の範囲】
【請求項１】
無線通信機能を備えたＩＣカードからなる媒体に記録されている情報を読み取るとともに、必要に応じてその媒体に新たな情報を書き込む媒体処理装置であって、
前記媒体の移動方向に沿って設けられたその媒体と通信を行う複数のアンテナと、
前記複数のアンテナにおける各アンテナの受信レベルをそれぞれ検出する検出手段と、
前記検出手段で検出された各アンテナの受信レベルに基づいて、各アンテナの送信出力を、各アンテナの出力の総和が一定となる範囲内で増減して調整する出力調整手段と、
を有することを特徴とする媒体処理装置。
【請求項２】
無線通信機能を備えたＩＣカードからなる媒体に記録されている情報を読み取るとともに、必要に応じてその媒体に新たな情報を書き込む媒体処理装置を備えた駅務機器であって、
前記媒体処理装置は、前記媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段とからなることを特徴とする駅務機器。
【請求項３】
請求項２に記載の駅務機器において、その駅務機器の本体は、自動改札機の本体であることを特徴とする駅務機器。
【請求項４】
無線通信機能を備えたＩＣカードからなる媒体に記録されている情報を読み取るとともに、必要に応じてその媒体に新たな情報を書き込む媒体処理装置を備えたカード処理機であって、
前記媒体処理装置は、前記媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段とからなることを特徴とするカード処理機。
【発明の詳細な説明】
【技術分野】
【０００１】
本発明は、無線通信機能を備えたＩＣカードからなる媒体、いわゆる非接触カードに記録されている情報を読み取るとともに、必要に応じてその被接触カードに新たな情報を書き込む媒体処理装置、及びその媒体処理装置を備えた処理機に関する。
【背景技術】
【０００２】
無線通信機能を備えたＩＣカードからなる非接触カードを処理する媒体処理装置を組込んだ処理機としては、非接触式の自動改札機が知られている（特許文献１参照）。この非接触式の自動改札機は、自動改札機の本体に設けられているアンテナに非接触カードを軽くタッチ又はかざすと（以下、かざしで説明する。）、そのアンテナを介して非接触カードに記録されている定期券データ等の所定の情報、いわゆるカードデータが読み取られるよう構成されている。そして、その自動改札機の本体では、その読み取られたカードデータを基に所定の入出場（入場又は出場を意味している。）の演算処理を行い、その演算処理の結果、入出場を許可できるときは、ドアを開いて（自動改札機の本体がノーマルオープン型のときはそのまま）利用者（旅客）の通過を許可するとともに、アンテナを介して入出場日や入出場駅等の新たな所定の情報（新たなカードデータ）を非接触カードに書き込むように構成されている。
【０００３】
上記アンテナは、自動改札機の本体を成す一対の筐体のうちの一方の筐体、すなわち改札通路の進入方向右側に位置する筐体の上面で、かつ入口側に近い方に設けられている。このアンテナの形状はループ状を呈していて、そのループは筐体の上面の裏面にその上面に沿うようにして設けられている。また、このアンテナの非接触カードに対する通信範囲（交信範囲）は、隣接する自動改札機との混信を防止するため、及び利用者の所持する電子機器や利用者の医療機器への影響を防止するために最小限に決められており、具体的には、アンテナの上面（筐体の上面）から数ｃｍの範囲内とされている。
【０００４】
また、現在運用中の非接触式の自動改札機は、非接触カードが定期券やストアードフェアカード（ＳＦカード）の媒体の他に、普通乗車券等の磁気券からなる短期使用券や磁気券からなる定期券を処理対象としている。このため現在運用中の非接触式の自動改札機は、非接触カードのみを処理する専用型ではなく、磁気券を処理すめためのカードハンドラが組込まれた非接触カード及び磁気券の両方を処理することのできる兼用型に構成されている。
【０００５】
上記兼用型の自動改札機は、非接触カードの他に磁気券を処理するための機構も必要としているので、構造が複雑でコスト高となる欠点を有している。さらに、普通乗車券等の磁気券からなる短期使用券は、回収後廃棄処分されるので省資源の見地から短期使用券も非接触カード又は媒体形状がコイン状を呈した無線通信機能を備えたＩＣカード機能を有する非接触トークンとして媒体を繰り返し使用できるようにし、磁気券を廃止した自動改札システムが提案されている（特許文献２参照）。
【０００６】
この磁気券を廃止し、全ての媒体を非接触式の媒体としたときは、入場時には、非接触カード又は非接触トークン（以下、非接触カードのみで説明する。）をアンテナにかざして入場を行い、出場時には、自動改札機の本体に設けられている投入口に非接触カードを投入して出場するように構成されている。そして、この投入された非接触カードは、回収箱に搬送（移動）される途中、アンテナを介して自動改札機の本体側と通信を行い、非接触カードに所定の出場データを書き込むように構成されている。
【０００７】
上述したように、非接触カードを処理対象とした自動改札機は、隣接する自動改札機との混信を防止するため等の理由により、非接触カードに対する通信範囲が最小限に抑えられていること、及び非接触カードのアンテナへのかざしは、利用者が移動しながら行うために、読取不良又は書込不良（以下、読取不良で説明する。）が発生しやすいという欠点を有している。このため、この欠点を除去するために、自動改札機の本体の筐体上面に複数のアンテナを配置して通信の機会を増加できるようにすることも提案されている（特許文献３，４参照）。
【特許文献１】特開２００５−１３５０７９号公報
【特許文献２】特開２００５−３０９４７７号公報
【特許文献３】特開平１０−２０８０９３号公報
【特許文献４】特開平１０−２０８０９４号公報
【発明の開示】
【発明が解決しようとする課題】
【０００８】
上記従来の非接触カードを処理するための非接触式の自動改札機に組込まれている媒体処理装置は、読取不良を回避するためにアンテナを複数個設けるように工夫されているが、アンテナの切換制御が複雑であったり、またアンテナの数を増加させたときは、その分だけ混信等のおそれが増加するという欠点があった。
【０００９】
さらに、普通乗車券のような短期使用券の非接触カードを回収するときは、自動改札機の本体内に設けられたアンテナと確実に交信が行われるようにするために、非接触カードの移動をアンテナの近辺で一旦停止させるので、処理時間が長くなるという欠点があった。
【００１０】
そこで、本発明は、アンテナの出力を増大させることなく通信範囲を広げて読取不良を未然に防止することのできる媒体処理装置を提供するとともに、その媒体処理装置を用いた処理機を提供することを目的としている。
【課題を解決するための手段】
【００１１】
本発明に係る媒体処理装置は、上記目的を達成するために、請求項１に記載の発明は、無線通信機能を備えたＩＣカードからなる媒体に記録されている情報を読み取るとともに、必要に応じてその媒体に新たな情報を書き込む媒体処理装置であって、前記媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段と、を有することを特徴としている。
【００１２】
本発明に係る駅務機器は、上記目的を達成するために、請求項２に記載の発明は、無線通信機能を備えたＩＣカードからなる媒体に記録されている情報を読み取るとともに、必要に応じてその媒体に新たな情報を書き込む媒体処理装置を備えた駅務機器であって、前記媒体処理装置は、前記媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段とからなることを特徴としている。
本発明の請求項３に記載の駅務機器は、駅務機器の本体は自動改札機の本体であることを特徴としている。
【００１３】
本発明に係るカード処理機は、上記目的を達成するために、請求項４に記載の発明は、無線通信機能を備えたＩＣカードからなる媒体に記録されている情報を読み取るとともに、必要に応じてその媒体に新たな情報を書き込む媒体処理装置を備えたカード処理機であって、前記媒体処理装置は、前記媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段とからなることを特徴としている。
【発明の効果】
【００１４】
本発明の請求項１に記載の媒体処理装置は、媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段とからなるので、アンテナの出力を大きくすることなく通信範囲を広げることができ、このため読取不良の発生を未然に防止することができる。
【００１５】
本発明の請求項２に記載の駅務機器は、媒体処理装置を媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段にしたので、アンテナの出力を大きくすることなく通信範囲を広げることができ、したがって、読取不良を未然に防止することができる。また、アンテナの出力を大きくする必要がないため、隣接する駅務機器との混信を防止することができるとともに、利用者の所持する電子機器への影響を防止することができる。
本発明の請求項３に記載の駅務機器は、駅務機器の本体を自動改札機の本体としたので、自動改札機の通信範囲を広げることができ、効率よく入出場処理を行うことができる。
【００１６】
本発明の請求項４に記載のカード処理機は、媒体処理装置を媒体の移動方向に沿って設けられたその媒体と通信を行う複数のアンテナと、それら複数のアンテナにおける各アンテナの受信レベルをそれぞれ検出する検出手段と、その検出手段で検出された各アンテナの受信レベルに基づいて、各アンテナの送信出力を、各アンテナの出力の総和が一定となる範囲内で増減して調整する出力調整手段としたので、アンテナの出力を大きくすることなく通信範囲を広げることができ、したがって、読取不良を未然に防止することができる。
【発明を実施するための最良の形態】
【００１７】
以下、本発明を実施するための最良の形態を図面に基づいて説明する。図１は、本発明に係る媒体処理装置を組込んだ非接触カード及び磁気券の両方を処理することのできる兼用型の自動改札機であり、この自動改札機の本体（以下、「改札機本体」という。）Ｇを構成する一対の筐体のうち、一方の筐体Ｇ1を改札通路Ｐ側から見たときの正面図である。この改札機本体Ｇの入口側（図１において右側）の上面には、磁気券からなる乗車券（図示せず）を投入するための投入口１が設けられているとともに、その投入口１よりも改札通路Ｐの内側の上面の裏側には、無線通信機能を備えたＩＣカードからなる非接触カードＣと交信するためのアンテナ部Ａが設けられている。このアンテナ部Ａには、図２に示されるように、改札通路Ｐの通過方向に沿ってコイル状の第１アンテナＡ1及び第２アンテナＡ2が並設されている。
【００１８】
この改札機本体Ｇの出口側の上面には、利用者へ乗車券を返却するための取出口２が設けられている。さらに、この改札機本体Ｇの内側には、図示しないが、投入口１から投入された乗車券を取出口２又は集札箱（図示せず）まで搬送するカードハンドラが設けられている。
【００１９】
図１中、Ｄ1，Ｄ2はドアであり、このうちドアＤ1は改札通路Ｐの出口側（図１に示す例では左側）に設けられ、ドアＤ2は改札通路Ｐの入口側に設けられている。これらドアＤ1，Ｄ2は後述する制御器によって開閉制御されて利用者の改札通路Ｐの通過を許可したり、または阻止できるように構成されている。そして、改札通路Ｐの出口側のドアＤ1は、乗車券類（磁気券からなる乗車券又は非接触カードＣ）に記憶されているデータ（カードデータ）を基にして開閉制御され、改札通路Ｐの入口側のドアＤ2は、改札通路Ｐを利用者が逆進してきたとき、すなわち、改札通路Ｐを出口側から入口側に進入したときに閉じられるとともに、改札機本体Ｇが稼働停止中に閉じられるように構成されている。
【００２０】
図１中、３ａ〜３ｆは、光電素子からなる透過型人間検知器であって、改札機本体Ｇの側面に所定の間隔を保って設けられている。さらに、人間検知器としては、改札機本体Ｇの上面の改札通路Ｐと反対側で、その改札通路Ｐの通過方向に沿って設けられたセンサ取付ボックス４内にそれぞれ設けられている赤外線を利用した測距式の反射型人間検知器５〜７によっても構成されている。この反射型人間検知器５〜７は、改札通路Ｐ内の大人の利用者を検知できるように、改札通路Ｐの床面から所定高さ以上の物体（利用者）を検知できるように構成されている。したがって、透過型人間検知器３ａ〜３ｆ及び反射型人間検知器５〜７の両方で検知されたときは、その利用者を大人の利用者と判定し、反射型人間検知器５〜７で検知されることなく透過型人間検知器３ａ〜３ｆのみで検知されたときは、その利用者を小児（子供）の利用者と判定することができる。
【００２１】
上記透過型人間検知器３ａ〜３ｆは、改札通路Ｐ内への利用者の進入及び進出を検出することができるように構成されている。そして、改札通路Ｐのほぼ中央部に設けられている透過型人間検知器３ｃ，３ｄは、他の透過型人間検知器よりも間隔が狭く設けられていることを利用して、これら透過型人間検知器３ｃ，３ｄの検知順序により利用者の進行方向を検知できるように構成されている。また、上記反射型人間検知器５〜７のうち、改札通路Ｐの中央位置に設けられている反射型人間検知器６は、無札者（無効券と判定された利用者も含む。）を検知してドアＤ1を閉じるように検知信号を出力することができるように構成されている。
【００２２】
上記改札機本体Ｇの側面には、利用者に対して音声により所定の案内を行うためのスピーカ８が取付けられている。また、この改札機本体Ｇの上面の出口側には、利用者に対して文字により所定の案内を行うための表示画面９が取付けられている。さらに、そのセンサ取付ボックス４の上面で改札通路Ｐの出口側には、係員に対して無効券の発生及び利用者が小児である旨を報知するための報知灯１０が設けられている。また、図１中、２０は改札機本体Ｇを統括的に制御するＣＰＵを中心に構成された制御器である。
【００２３】
図３は、この制御器２０及び上記非接触カードＣの電気的構成を示すブロック図である。改札機本体Ｇの制御器２０から説明すると、この制御器２０は、ＣＰＵを中心に形成される演算部２１を有している。この演算部２１は、メモリ２２に記憶されているシステムプログラム及びワーキングデータを用いて所定の演算処理を行えるように構成されている。そして、この演算部２１には、図示しないＩ／О装置を介してカードハンドラを駆動制御するカードハンドラドライバ２３と、ドアＤ1，Ｄ2のドア駆動機構を駆動制御するドアドライバ２４と、各人間検知器３ａ〜３ｆ，５ａ〜５ｃの検知信号を入力するセンサアンプ２５と非接触カードＣを処理するための第１アンテナＡ1及び第２アンテナＡ2を有するアンテナ部Ａとが接続されている。このアンテナ部Ａは、リーダライタとも呼ばれており、非接触カードＣとデータ授受を行う機能と、その非接触カードＣに電力を供給するための機能とを有している。このアンテナ部Ａについては、図４を用いて後述する。なお、この演算部２２には、表示画面７の表示内容を駆動制御する表示ドライバや報知灯１０を駆動制御するランプドライバ等も接続されているが、ここでは省略されている。
【００２４】
次に、非接触カードＣについて説明すると、この非接触カードＣは、無線通信機能を有するＩＣカードと同様に構成されている。すなわち、この非接触カードＣには、アンテナ３０を有する改札機本体Ｇ側と交信するための通信制御部３１と、非接触カードＣ内において所定の演算処理を行うＣＰＵ３２と、システムプログラムデータ、定期券データ、ＳＦカードデータ及びカードＩＤデータ等の所定のカードデータを記憶するメモリ３３と、改札機本体Ｇからの電力波をアンテナ３０を介して受信し、非接触カードCの駆動電力を生成する電力生成回路３４とを有している。
【００２５】
図４は、アンテナ部Ａの詳細ブロック図であり、図中、４０はＣＰＵを中心に構成された演算処理部である。この演算処理部４０は、非接触カードＣから読み取られたカードデータを基に入出場の判定処理ができるように構成されているとともに、非接触カードＣに対する新たな書込みデータを生成することができるように構成されている。なお、この演算処理部４０の機能を制御器２０の演算部（ＣＰＵ）２２に持たせることもできるが、ここでは、処理速度を高めるために、別構成としている。
【００２６】
この演算処理部４０からは、出力調整回路４１ａ，４１ｂを介して第１アンテナＡ1，第２アンテナＡ2にそれぞれ出力信号を送出できるように構成されている。これら出力調整回路４１ａ，４１ｂは、共に増幅回路を含んで構成され、その増幅回路は演算処理部４０からの指令により自動的に出力が調整できるように構成されている。なお、これら出力調整回路４１ａ，４１ｂから第１アンテナＡ1，第２アンテナＡ2にそれぞれ出力される信号は、周知の非接触式の自動改札機と同様に、非接触カードＣを駆動するための電力波が含まれている。
【００２７】
図中、４２ａ，４２ｂは受信信号レベル測定回路であって、第１アンテナＡ1，第２アンテナＡ2にそれぞれ接続されている。そして、これら受信信号レベル測定回路４２ａ，４２ｂは、第１アンテナＡ1，第２アンテナＡ2で受信した非接触カードＣから受信したカードデータを含む信号を演算処理部４０にそれぞれ送出することができるように構成されている。そして、これら受信信号レベル測定回路４２ａ，４２ｂは、共に受信した信号の受信レベルを測定する測定回路を含んで構成されている。このため、受信信号レベル測定回路４２ａ，４２ｂからは、測定した信号レベルの値（データ）を演算処理部４０にそれぞれ送出することができるように構成されている。なお、受信レベルを測定する回路としては、受信信号を所定のしきい値で区分して測定する、周知のレベル測定回路を用いることができる。
【００２８】
上述のように構成される演算処理部４０では、各受信信号レベル測定回路４２ａ，４２ｂから得られたデータに基づいて各出力調整回路４１ａ，４１ｂの出力を調整することが可能となる。この出力調整は、両アンテナＡ1，Ａ2の合計の出力が隣接する改札機本体と混信を起こすことがなく、かつ利用者の所持する電子機器に影響を与えない範囲の一定の値で、この値の範囲内で各アンテナＡ1，Ａ2の出力を決めるように行われる。具体的には、各出力調整回路４１ａ，４１ｂの出力の割合は、各受信信号レベル測定回路４２ａ，４２ｂの受信信号レベルに比例した形で調整が行われる。
【００２９】
以下、図５のフローチャートを用いて第１アンテナＡ1，第２アンテナＡ2の出力調整制御動作を説明すると、利用者がアンテナ部Ａに非接触カードＣをかざすと、その非接触カードＣは、アンテナ部Ａからの電力波を受けて駆動され、非接触カードＣのメモリ３３に記憶されているカードデータを含む信号が第１アンテナＡ1，第２アンテナＡ2を介して受信される。この受信において、第１アンテナＡ1，第２アンテナＡ2で同じ受信レベルで受信されているとき、例えば、図４に示されるように、非接触カードＣが第１アンテナＡ1及び第２アンテナＡ2からほぼ等しい距離にあって移動していないときは、各受信信号レベル測定回路４２ａ，４２ｂの測定値は同一となるので、第１アンテナＡ1から５０％の出力、第２アンテナＡ2からも５０％の出力で非接触カードＣに向けた出力が行われる。（ステップ１００否定、ステップ１０２否定、ステップ１０４）。また、第１アンテナＡ1，第２アンテナＡ2に非接触カードＣがかざされていないときは、非接触カードＣからの第１アンテナＡ1，第２アンテナＡ2の受信信号レベルが共に０であるから、第１アンテナＡ1，第２アンテナＡ2からは共に５０％で出力され、この状態で非接触カードＣのかざし待ちとなる。
【００３０】
また、非接触カードＣが第１アンテナＡ1に近づいているようなときは、第１アンテナＡ1側の受信信号レベル測定回路４２ａの受信レベルが増加してくるので、この場合は、第１アンテナＡ1の出力が増加し、第２アンテナＡ2の出力が減少するように出力調整される（ステップ１０６肯定、ステップ１０８）。
【００３１】
上述とは逆に、非接触カードＣが第２アンテナＡ2に近づいているようなときは、第２アンテナＡ2側の受信信号レベル測定回路４２ｂの受信レベルが増加してくるので、この場合は、第２アンテナＡ2の出力が増加し、第１アンテナＡ1の出力が減少するように出力調整される。
【００３２】
非接触カードＣ又は図示しない磁気券からなる乗車券を用いた入出場処理は、周知の兼用型の自動改札機と同様であるので、その入出制御動作の詳細な説明は省略するが、アンテナ部Ａを介して読み取られた非接触カードＣのカードデータ又は磁気ヘッドを介して磁気券から読み取られたデータを用いた制御器２０の演算処理の結果が入出場を許可できるときは、ドアＤ1が開かれて改札通路Ｐの通過が許可され、またその読み取られたデータが入出場を許可できないときは、ドアＤ2が閉じられて改札通路Ｐの通過が阻止される。
【００３３】
上述のように、改札機本体Ｇは、アンテナ部Ａは２個のアンテナ（Ａ1，Ａ2）を有しているので、その分だけ通信範囲が広がり、読取不良による入出場拒否を未然に防止することができる。しかもアンテナ数を増やしても全体の出力を一定の範囲内で増減して調整しているので、隣接する改札機本体との混信を防止することができるとともに、利用者の所持する電子機器への影響をも回避することができる。
【００３４】
なお、上述の実施例は、非接触カードＣをアンテナ部Ａにかざして入出場する例であるが、非接触カードＣが短期使用券で改札機本体Ｇに投入されて回収される場合でも、アンテナ部Ａの通信範囲が広くとれるので、投入された非接触カードＣの移送（搬送）を止めることなく読取処理及び書込処理が可能となり、処理効率を高めることができる。
【００３５】
また、非接触カードＣは、非接触カード対応型の自動券売機又は自動精算機等の駅務機器でも使用されるが、この場合も、これら駅務機器のアンテナ部を上述した複数のアンテナを有するアンテナ部Ａと同様に構成することで通信範囲が広まるので、処理効率を高めることができる。
【００３６】
さらに近年では、非接触カードＣが駅の売店等で買物をしたときの決済に使用できるようになってきているが、この場合のカード処理機においても上述した複数のアンテナを有するアンテナ部Ａを採用することができる。このようなアンテナ部Ａを採用すると通信範囲が広まるので、処理効率を高めることができる。
【００３７】
なお、上述の実施例では、アンテナ部Ａのアンテナを２個としたが３個以上としてより通信範囲を広げるようにしてもよい。例えば、アンテナを３個としたときも、各アンテナの受信割合に応じて各アンテナから出力信号が出力され、非接触カードＣに最も近いアンテナからは、最も大きく出力信号が出力される。
【図面の簡単な説明】
【００３８】
【図１】本発明に係る媒体処理装置を自動改札機に組込んだときの改札機本体の正面図である。
【図２】アンテナ部部分の詳細斜視図である。
【図３】制御器及び非接触カードの電気的構成を示すブロック図である。
【図４】アンテナ部のブロック図である。
【図５】制御動作を示すフローチャートである。
【符号の説明】
【００３９】
Ｇ  改札機本体
Ｇ1  筐体
Ａ  アンテナ部
Ａ1  第１アンテナ
Ａ2  第２アンテナ
Ｄ1，Ｄ2  ドア
Ｐ  改札通路
Ｃ  非接触カード
１  投入口
２  取出口
３ａ〜３ｆ  透過型人間検知器
４  センサ取付ボックス
５〜７  反射型人間検知器
９  表示画面
１０  報知灯
２０  制御器
４０  演算処理部
４１ａ，４１ｂ  出力調整回路
４２ａ，４２ｂ  受信信号レベル測定回路
【図１】
2007249608.tif 000003
【図２】
2007249608.tif 000004
【図３】
2007249608.tif 000005
【図４】
2007249608.tif 000006
【図５】
2007249608.tif 000007